(57)【要約】【課題】  ソケットと電気部品とを係合させる係合手段の強度を向上させることができる電気部品用ソケット装置に関する。【解決手段】  カメラモジュール１（電気部品）が挿入されて装着される装着部７を有するソケット５を備え、このソケット５が、装着部７が形成されたソケット本体６と、装着部６内に露出し、カメラモジュール１と電気的に接触する端子１１と、ソケット本体６の外部に取付けられる枠体８と、この枠体８に形成され電気部品に係合する係合片９（係合手段）とを備え、この係合片９が、ソケット本体６の底部６ｂの下方から装着部７内に延び、ソケット本体６の側壁６ａ側に撓むことが可能に形成される。【選択図】図７
2005243340.tif 000002
【特許請求の範囲】
【請求項１】
電気部品が挿入されて装着される装着部を有するソケットを備え、このソケットが、前記装着部が内部に形成されたソケット本体と、前記装着部内に露出し、前記電気部品と電気的に接触する端子と、前記ソケット本体の外部に取付けられる枠体とを備える電気部品用ソケット装置であって、
前記枠体と前記電気部品とを前記電気部品の抜け止めのために係合させる係合手段を備え、
前記係合手段が、前記電気部品に係合する係合片からなり、この係合片が、前記ソケット本体の底部の外部から前記装着部内に延び、前記ソケット本体の側壁側に撓むことが可能に形成されることを特徴とする電気部品用ソケット装置。
【請求項２】
請求項１記載の発明において、
前記係合片が、前記枠体に形成されることを特徴とする電気部品用ソケット装置。
【請求項３】
請求項１または２記載の発明において、
前記端子と前記枠体とが、前記ソケット本体に対して、このソケット本体の底部側から圧入されて取付けられることを特徴とする電気部品用ソケット装置。
【請求項４】
請求項１または２記載の発明において、
前記係合片が、前記装着部を形成する前記ソケット本体の側壁に沿って延び、
前記側壁に、この側壁側への前記係合片の撓みを許容する許容空間が形成されることを特徴とする電気部品用ソケット装置。
【請求項５】
請求項１または２記載の発明において、
前記係合片が、前記電気部品に形成された係合爪に係合する係合部を有することを特徴とする電気部品用ソケット装置。
【請求項６】
請求項１または２記載の発明において、
前記枠体に取付けられ、前記装着部の開口部を覆うカバーを備えることを特徴とする電気部品用ソケット装置。
【請求項７】
請求項６記載の発明において、
前記係合片が、前記装着部を形成する側壁に沿って延び、
前記側壁に、この側壁側への前記係合片の撓みを許容する許容空間が形成され、
前記カバーに、前記許容空間に配置されて前記係合片の撓みを規制する規制片を設けたことを特徴とする電気部品用ソケット装置。
【発明の詳細な説明】
【技術分野】
【０００１】
本発明は、電気部品が挿入されて装着されるソケットと、このソケットに設けられ、電気部品に接触する端子を備える電気部品用ソケット装置に関する。
【背景技術】
【０００２】
従来の電気部品用ソケット装置には、下記特許文献１に開示されたコネクタソケットがある。
【０００３】
このコネクタソケットは、コンタクトプラグのプラグ部が装着されるモールドブロックと、このモールドブロック内に突出し、コンタクトプラグに嵌合するコネクタピンと、モールドブロックの外部に装着され、外部磁界等とモールドブロック内部とを遮断するシールドケースと備えている。
【０００４】
シールドケースには、コンタクトプラグのプラグ部が挿入される挿入口が形成されている。コンタクトプラグのプラグ部は、この挿入口により案内されてモールドブロックに装着される。
【特許文献１】特開平１０−２４７５５７号公報
【発明の開示】
【発明が解決しようとする課題】
【０００５】
上述のコネクタソケット（電気部品用ソケット装置）は、コンタクトプラグ（電気部品）を、モールドブロック（ソケット）対してコンタクトプラグを抜け止めするための抜け止め手段が備えられていない。したがって、コンタクトプラグが衝撃などによりモールドブロックから抜けるおそれがある。
【０００６】
抜け止め手段としては、例えば、コンタクトプラグにシールドケースを係合させる係合手段が考えられる。係合手段によってコンタクトプラグにシールドケースを係合させる場合、コンタクトプラグを強引に引き抜こうとした場合など、コンタクトプラグがモールドブロックから引き抜かれる方向の外力が、モールドブロックやコンタクトプラグに与えられたとき、その外力は、係合手段に作用する。このような場合、係合手段が破損しないように、係合手段にある程度の強度をもたせることが必要になる。
【０００７】
本発明は、上述の実状を考慮してなされたもので、その目的は、ソケットと電気部品とを係合させる係合手段の強度を向上させることができる電気部品用ソケット装置に関する。
【課題を解決するための手段】
【０００８】
上述の目的を達成するために、本発明は、次の（１）〜（７）のように構成してある。
【０００９】
（１）本発明は、電気部品が挿入されて装着される装着部を有するソケットを備え、このソケットが、前記装着部が内部に形成されたソケット本体と、前記装着部内に露出し、前記電気部品と電気的に接触する端子と、前記ソケット本体の外部に取付けられる枠体とを備える電気部品用ソケット装置であって、前記枠体と前記電気部品とを前記電気部品の抜け止めのために係合させる係合手段を備え、前記係合手段が、前記電気部品に係合する係合片からなり、この係合片が、前記ソケット本体の底部の外部から前記装着部内に延び、前記ソケット本体の側壁側に撓むことが可能に形成されることを特徴とする。
【００１０】
このように構成した本発明では、電気部品が装着部に挿入される際、係合片が撓んで電気部品の挿入が許容され、電気部品が装着部に位置したときに、係合片が復帰して電気部品に係合する。これにより、電気部品をソケットに対して抜け止めすることができる。
【００１１】
また、装着部に電気部品が装着された状態で、電気部品やソケットに対して電気部品がソケットから引き抜かれる方向の外力が作用したとき、この外力によって係合片が引張られる。このように係合片に外力が作用した場合、係合片がソケット本体の底部の外部からソケット本体の底部に当接しつつ装着部内に延びていることによって、係合片に作用する外力が、ソケット本体に分散される。つまり、係合片、すなわち係合手段が、ソケット本体によって補強されるので、係合手段の強度を向上させることができる。
【００１２】
（２）また、本発明は、「（１）」で述べた発明において、前記係合片が、前記枠体に形成されることを特徴とする。
【００１３】
このように構成した本発明では、部品点数を削減できる。
【００１４】
（３）また、本発明は、「（１）」または「（２）」で述べた発明において、前記端子と前記枠体とが、前記ソケット本体に対して、このソケット本体の底部側から圧入されて取付けられることを特徴とする。
【００１５】
このように構成した本発明では、端子と枠体とを同方向からソケット本体に取付けることができるので、端子と枠体とをソケットに取付け作業の作業性を向上させることができるとともに、コプラナリティ調整を行いやすくすることができる。
【００１６】
（４）また、本発明は、「（１）」または「（２）」で述べた発明において、前記係合片が、前記装着部を形成する壁に沿って延び、前記壁と前記係合片との間に壁側への前記係合片の撓みを許容する許容空間が形成されることを特徴とする。
【００１７】
このように構成した本発明では、許容空間の寸法を変更して係合片の撓み量を調整し、電気部品の挿入時の抵抗力や、電気部品とソケットとの結合力を調整することができる。
【００１８】
（５）また、本発明は、「（１）」または「（２）」で述べた発明において、前記係合片が、前記電気部品に形成された係合爪に係合する係合部を有することを特徴とする。
【００１９】
このように構成した本発明では、電気部品に形成された係合爪に係合片が係合するので、電気部品本体の損傷を防止できる。
【００２０】
（６）また、本発明は、「（１）」または「（２）」で述べた発明において、前記枠体に取付けられ、前記装着部の開口部を覆うカバーを備えることを特徴とする。
【００２１】
このように構成した本発明では、装着部の開口部がカバーにより覆われるので、装着部内への塵埃等の浸入を防止することができる。
【００２２】
（７）また、本発明は、「（６）」で述べた発明において、前記係合片が、前記装着部を形成する側壁に沿って延び、前記側壁と前記係合片との間に側壁側への前記係合片の撓みを許容する許容空間が形成され、前記カバーに、前記許容空間に配置されて前記係合片の撓みを規制する規制片を設けたことを特徴とする。
【００２３】
このように構成した本発明では、係合片の撓みが規制されるので、係合片の撓みに起因するソケットに対する電気部品の傾きを防止できる。
【発明の効果】
【００２４】
以上で説明したように、本発明によれば、係合手段の強度を向上させることができる。この結果、係合手段の破損の防止に貢献できる。
【発明を実施するための最良の形態】
【００２５】
以下で、本発明の電気部品用ソケット装置の実施形態について説明する。
【００２６】
＜１＞  第１の実施形態
第１の実施形態について図１〜７を用いて説明する。
【００２７】
図１は、本発明の電気部品用ソケット装置の第１の実施形態にカメラモジュールが装着された状態を示す斜視図、図２は、図１の平面図、図３は、第１の実施形態を示す斜視図、図４は、第１の実施形態に装着されるカメラモジュールを示す斜視図、図５は、第１の実施形態に備えられるソケット本体を示す斜視図、図６は、第１の実施形態に備えられる枠体を示す斜視図、図７は、図２のVII−VII断面図である。
【００２８】
＜１−１＞  第１の実施形態の構成
本実施形態は、図１〜３に示すように、電気部品、例えばカメラモジュール１が挿入されて装着される装着部７を有するソケット５を備えている。このソケット５は、装着部が形成されたソケット本体６と、装着部７内に露出し、カメラモジュール１と電気的に接触する端子１１と、ソケット本体６の外部に取付けられる枠体８とを備えている。
【００２９】
カメラモジュール１は、図４に示すように、直方体のカメラモジュール本体２と、このカメラモジュール本体２の上面から突出し、レンズが搭載される円柱状部３とを有する。カメラモジュール本体２の底面には、図示しないが前記端子１１８に電気的に接触する接触部を設けてある。また、カメラモジュール本体２の側面には、ソケット５に係合する係合爪４を形成してある。この係合爪４は、カメラモジュール本体２の上面と平行に形成される上端面４ａと、下方に位置する部分ほどカメラモジュール本体２の側面に近づくように傾斜する傾斜面４ｂとを有する。
【００３０】
ソケット本体６は、図５に示すように、４つの側壁６ａと底部６ｂとを有する。装着部７は、側壁６ａと底部６ｂとにより形成される凹部からなる。装着部７の平面視形状は、カメラモジュール１の平面視形状が略正方形あるのに対応させて略正方形に形成してある。ソケット本体６の側壁６ａには、枠体８の圧入片（後述）が圧入される圧入溝６ｃを形成してある。ソケット本体６の側壁６ａおよび底部６ｂには、端子１１が配置されるスリット６ｄを形成してある。
【００３１】
端子１１は、一端をソケット本体６の外部に突出させた状態で、ソケット本体６に形成されたスリット６ｄに配置してある。端子１１の一端は、図示しない基板に半田付される。また、端子１１は、ソケット本体６の底部６ｂの下方からスリット６ｄに圧入してソケット本体６に設けてある。
【００３２】
枠体８は、図６に示すように、金属板を加工したものであり、４つの側板８ａを有する。側板８ａには、上方に延び、ソケット本体６の側壁６ａに形成された圧入溝６ｃに圧入される４つの圧入片８ｂを形成してある。枠体８は、ソケット本体６に対して、ソケット本体６の底部６ｂの下方から圧入して取付けてある。また、枠体８の側板８ａには、下方に突出する脚部８ｃを形成してある。脚部８ｃは、図示しない基板に半田付されて、この基板を介して接地接続される。
【００３３】
特に、第１の実施形態は、ソケット５に対するカメラモジュール１の抜け止めのために、カメラモジュール１に枠体８を係合させる係合手段を備えている。この係合手段は、図６に示す例えば複数、例えば４つの係合片９からなる。
【００３４】
係合片９は、金属製の枠体８の側板８ａの下端部に成形した板部を、Ｕ字状に曲げ形成して設けてある。このようにして設けた係合片９は、枠体８の内方で枠体８の側板８ａに沿って延び、Ｕ字状曲げ部９ｂ側を固定端として枠体８の側板８ａに対して接近・離間する方向に撓むことが可能になっている。Ｕ字状曲げ部９ｂは、図示しない基板と当接しており、半田付け可能となっている。係合片９には、カメラモジュール１に形成された前記係合爪４に係合する係合部、例えば係合孔９ａを形成してある。また、係合片９は、その上端部を枠体８の側板８ａ側に曲げ形成してなる湾曲部９ｃを有する。
【００３５】
なお、ソケット本体６の底部６ｂには、係合片９が挿入される挿入孔６ｆを形成してある。
【００３６】
係合片９は、枠体８をソケット本体６に取付けた状態において、図７に示すように、ソケット本体６の底部６ｂの外部、すなわち下方から挿入孔６ｆに挿入されており、ソケット本体６の側壁６ａに沿って装着部７内に延びる。係合片９と枠体８の側板８ａと間には、ソケット本体６の側壁６ａが配置される。
【００３７】
なお、ソケット本体６の側壁６ａには、この側壁６ａ側への係合片９の撓みを許容する許容空間１０を設けてある。この許容空間１０は、側壁６ａの上部を切り欠いてなる切欠き部１０ａにより形成してある。つまり、係合片９と側壁６ａと間に隙間を形成して、側壁６ａ側への係合片９の撓みを許容するとともに、係合片９の撓みに伴う側壁６ａ側への湾曲部９ｃの移動を、切欠き部１０ａにより許容してある。
【００３８】
＜１−２＞  第１の実施形態の動作
上述のように構成した第１の実施形態は次のように動作する。
【００３９】
［１］  カメラモジュール本体２をソケット５に装着するには、ソケット５の装着部７の開口部に上方からカメラモジュール本体２を挿入する。すると、カメラモジュール本体２の係合爪４が係合片９に湾曲部９ｃに当接する。この状態で、カメラモジュール１を下方に押圧すると、ソケット本体６の側壁６ａ側への係合片９の撓みが許容空間１０により許容されているので、カメラモジュール本体２の係合爪４の傾斜面４ｂに沿って、係合片９がソケット本体６の側壁６ａ側に撓む。これにより、カメラモジュール本体２のソケット５に対する挿入が許容される。
【００４０】
さらに、カメラモジュール１を下方に押圧すると、カメラモジュール本体２の下面がソケット本体６の底部６ｂに当接し、端子１１に押付けられた状態となる。このとき、係合爪４が係合片９の係合孔９ａに配置され、これに伴い、係合片９が自己の弾性により復帰して、係合片９と係合爪４が係合する。これにより、ソケット５に対してカメラモジュール１が抜け止めされ、カメラモジュール１の装着が完了する。
【００４１】
［２］  カメラモジュール１をソケット５から取外すには、４つの係合片９を同時にソケット本体６の側壁６ａ側に撓ませることが可能な専用工具を使用する。つまり、専用工具によって、４つの係合片９を同時にソケット本体６の側壁６ａ側に撓ませて係合片９と係合爪４との係合を解除した状態で、カメラモジュール１をソケット５から上方へ引き抜く。これにより、カメラモジュール１がソケット５から取外される。
【００４２】
［３］  カメラモジュール１が装着された状態では、上述した専用工具を使用せずに、カメラモジュール１を強引に引き抜こうとした場合など、ソケット５からカメラモジュール１が引き抜かれる方向の外力がカメラモジュール１やソケットに与えられた場合、この外力が係合片９に作用し、係合片９が上方へ引張られる。
【００４３】
このように係合片９に外力が作用したとき、ソケット本体６の外部に取付けられる枠体８に係合片９が形成されていること、および、係合片９が枠体８からＵ字状曲げ部９ｂを介して側壁６ａの低部に当接しつつソケット本体６の底部６ｂの下方から装着部７内に延びていることによって、係合片９に作用する外力が、Ｕ字状曲げ部９ｂを介してソケット本体６に分散される。つまり、係合片９の強度がソケット本体６によって補強される。
【００４４】
また、カメラモジュール１がソケット５に装着された状態では、ソケット本体６の底部６ｂに設けられた端子１１のばね性によって、カメラモジュール１が上方に付勢されつつ、係合片９の係合孔９ａの上端の縁と、係合爪４の上端面４ａとによって、カメラモジュール１の上方への移動が規制されるので、カメラモジュール１のソケット５に対する上下方向のずれが防止される。
【００４５】
＜１−３＞  第１の実施形態の効果
第１の実施形態によれば次の効果を得られる。
【００４６】
第１の実施形態では、ソケット本体６の外部に取付けられる枠体８に係合片９を形成したこと、および、枠体８からＵ字状曲げ部９ｂを介してソケット本体６の側壁６ａの低部に当接させた状態で底部６ｂの下方から装着部７内に係合片９を延ばしたことによって、係合片９、すなわち係合手段を補強している。これにより、係合手段の強度を向上させることができる。この結果、係合手段の破損の低減に貢献できる。
【００４７】
また、第１の実施形態では、端子１１と枠体８とを、ソケット本体６に対して、このソケット本体６の底部６ｂ側から圧入して取付ける。これにより、端子１１と枠体８とを同方向からソケット本体６に取付けることができるので、端子１１と枠体８とのソケット本体６への取付け作業の作業性を向上させることができるとともに、コプラナリティ調整を行いやすくすることができる。
【００４８】
また、第１の実施形態では、装着部７を形成するソケット本体６の側壁６ａに沿って係合片９を延ばし、係合片９と側壁６ａとの間に側壁６ａ側への係合片９の撓みを許容する許容空間１０を設けた。これにより、許容空間１０の間隔１０ａの寸法や、許容空間１０の切欠き部１０ｂの寸法を変更して係合片９の撓み量を調整し、カメラモジュール１の挿入時の抵抗力や、カメラモジュール１とソケット５との結合力を調整することができる。
【００４９】
また、第１の実施形態では、係合片９が、カメラモジュール１に形成された係合爪４に係合する係合孔９ａを有する。これにより、カメラモジュール本体２の損傷を防止できる。
【００５０】
また、第１の実施形態では、Ｕ字状曲げ部９ｂが図示しない基板に半田付されているので、係合片９の固定端をより強固に固定でき、これにより、係合手段の強度をより向上させることができる。
【００５１】
＜２＞  第２の実施形態
第２の実施形態について図８〜１２を用いて説明する。
【００５２】
図８は、第２の実施形態にカメラモジュールが装着された状態を示す斜視図、図９は、図８の平面図、図１０は、第２の実施形態に備えられるカバーを示す斜視図、図１１は、第２の実施形態に備えられる枠体を示す斜視図、図１２は、図９のXII−XII断面図である。
【００５３】
＜２−１＞  第２の実施形態の構成
第２の実施形態は、図８，９に示すように、枠体８に取付けられ、装着部７の開口部を覆うカバー１２を備える点で、第１の実施形態と異なっており、これ以外の構成は第１の実施形態と同様である。
【００５４】
カバー１２は、金属板を成形したものであり、装着部７の開口部上に配置され、カメラモジュール１の円柱状部３が配置される孔１２ｃが形成される上板１２ａと、枠体８の側板８ａの外側方に配置される側板１２ｂとを有する。
【００５５】
カバー１２の側板１２ｂには、図１０に示すように、枠体８に係合する係合孔１３を形成してある。枠体８には、図１１に示すように、カバー１２の係合孔１３に係合する係合爪１４を形成してある。この係合爪１４は、枠体８の側板８ａから外側方に突出し、上端から下方に位置する部分ほど枠体８の側板８ａから離れるように傾斜する傾斜面１４ａを有する。
【００５６】
カバー１２は、図１２に示すように、許容空間１０、すなわち間隔１０ａにより係合片９とソケット本体６の側壁６ａとの間に形成される隙間に挿入され、係合片９の撓みを規制する規制片１５を備えている。カバー１２の四隅には、図１０に示すように切欠き１２ｄを形成してあり、この切欠き１２ｄに規制片１５を配置してある。規制片１５は、カバー１２の上板１２ａの側端部から突出させた板部を下方に曲げ形成してなる。
【００５７】
＜２−１＞  第２の実施形態の動作
上述のように構成した第２の実施形態は次のように動作する。
【００５８】
カメラモジュール１の装着、取外し、および、カメラモジュール１が装着された状態における第２の実施形態の動作は、上述した第１の実施形態と同様なので、これらの説明は省略し、カバー１２に関する動作についてのみ説明する。
【００５９】
［１］  カバー１２をソケット５に取付けるには、カバー１２をソケット５に被せて下方に移動させる。すると、カバー１２の側板１２ｂの下端が枠体８に係合爪１４に当接する。この状態で、カバー１２を下方に押圧すると、枠体８の係合爪１４の傾斜面１４ａに沿ってカバー１２の側板１２ｂが外側方に撓む。さらに、カバー１２を下方へ押圧すると、カバー１２の係合孔１３に枠体８の係合爪１４が係合する。これにより、カバー１２がソケット５に対して抜け止めされる。
【００６０】
［２］  カバー１２をソケット５から取外すには、カバー１２の４つの側板１２ｂを同時に外側方に撓ませることが可能な専用工具を使用する。つまり、専用工具を使用してカバー１２の４つの側板１２ｂを同時に外側方に撓ませてカバー１２の係合孔１３と枠体８の係合爪１４との係合を解除した状態で、カバー１２を上方へスライドさせる。これにより、カバー１２がソケット５から取外される。
【００６１】
［３］  カバー１２がソケット５に装着された状態では、カバー１２の規制片１５が係合片９とソケット本体６の側壁６ａとの間に形成される許容空間１０の切欠き部１０ｂに挿入されている。したがって、ソケット本体６の側壁６ａ側への係合片９の撓みが規制される。この結果、係合片９の撓みに起因するソケット５に対するカメラモジュール１の傾きが防止される。
【００６２】
＜２−３＞  第２の実施形態の効果
第２の実施形態では次の効果が得られる。
【００６３】
第２の実施形態では、装着部７の開口部を覆うカバー１２を備える。これにより、装着部７内への塵埃等の浸入を防止することができるとともに、外部磁界等を遮断する効果、すなわち、シールド効果を向上させることができる。
【００６４】
また、第２の実施形態では、カバー１２に、許容空間１０に挿入されて係合片９の撓みを規制する規制片１５を設けた。これにより、係合片１５の撓みに起因するソケット５に対するカメラモジュール１の傾きを防止できる。この結果、カメラモジュール１の光軸のずれを防止できるとともに、カメラモジュール１とソケット５との結合力を大幅に大幅に増大させることができる。
【００６５】
＜３＞  第３の実施形態
第３の実施形態を図１３を用いて説明する。図１３は、第３の実施形態の断面図である。
【００６６】
＜３−１＞  第３の実施形態の構成
第３の実施形態は、図１３に示すように、枠体８と別個にソケット本体６に取付けれる係合片９０を備える点で第１の実施形態と異なっており、これ以外の構成は第２の実施形態と同様である。
【００６７】
係合片９０は、その下端部をＵ字状に曲げ形成してなるＵ字状曲げ部９０ｂおよび圧入部９０ａとを有する。また、ソケット本体６の側壁６ａには、係合片９０の圧入部９０ａが圧入される圧入溝９１を形成してある。つまり、係合片９０のＵ字状曲げ部９０ｂの内側がソケット本体６の側壁６ａの底部に当接するように、圧入部９０ａを圧入溝９１に圧入することによって、係合片９０をソケット本体６に取付けてある。
【００６８】
＜３−２＞  第３の実施形態の効果
第３の実施形態によれば次の効果を得られる。
【００６９】
第３の実施形態では、Ｕ字状曲げ部９０ｂの内側をソケット本体６の側壁６ａの低部に当接させた状態で、底部６ｂの下方から装着部７内に係合片９０を延ばしたことによって、係合片９０、すなわち係合手段を補強してある。これにより、係合手段の強度を向上させることができる。この結果、係合手段の破損の低減に貢献できる。
【００７０】
また、第３の実施形態では、端子１１と、枠体８と、係合片９０とをソケット本体６に同方向から圧入して取付けることができるので、端子１１と、枠体８と、係合片９０とのソケット本体６への取付け作業の作業性を向上させることができるとともに、コプラナリティ調整を行いやすくすることができる。
【図面の簡単な説明】
【００７１】
【図１】本発明の電気部品用ソケット装置の第１の実施形態にカメラモジュールが装着された状態を示す斜視図である。
【図２】図１の平面図である。
【図３】第１の実施形態を示す斜視図である。
【図４】第１の実施形態に装着されるカメラモジュールを示す斜視図である。
【図５】第１の実施形態に備えられるソケット本体を示す斜視図である。
【図６】第１の実施形態に備えられる枠体を示す斜視図である。
【図７】図２のVII−VII断面図である。
【図８】第２の実施形態にカメラモジュールが装着された状態を示す斜視図である。
【図９】図８の平面図である。
【図１０】第２の実施形態に備えられるカバーを示す斜視図である。
【図１１】第２の実施形態に備えられる枠体を示す斜視図、
【図１２】図９のXII−XII断面図である。
【図１３】第３の実施形態を示す断面図である。
【符号の説明】
【００７２】
１    カメラモジュール（電気部品）
４    係合爪
５    ソケット
６    ソケット本体
６ａ  側壁
６ｂ  底部
６ｃ  圧入溝
７    装着部
８    枠体
９    係合片
９ａ  係合孔
１０  許容空間
１１  端子
１２  カバー
１３  係合孔
１４  係合爪
１５  規制片
９０  係合片
【図１】
2005243340.tif 000003
【図２】
2005243340.tif 000004
【図３】
2005243340.tif 000005
【図４】
2005243340.tif 000006
【図５】
2005243340.tif 000007
【図６】
2005243340.tif 000008
【図７】
2005243340.tif 000009
【図８】
2005243340.tif 000010
【図９】
2005243340.tif 000011
【図１０】
2005243340.tif 000012
【図１１】
2005243340.tif 000013
【図１２】
2005243340.tif 000014
【図１３】
2005243340.tif 000015